(57)【要約】【課題】対象ソフトウェアの再購入のための時間的猶予をユーザに与え、ユーザが負担なく再購入手続きを行うことができ、かつ、対象ソフトウェアの有効期限に関するセキュリティを確保してソフトウェアの不正使用を防止することができる。【解決手段】対象ソフトウェア８の有効期限キー入力期限の日付と使用期限の日付との情報を暗号化したデータを含む有効期限キーが入力されて、当該暗号化データを復号して対象ソフトウェア８の有効期限キー入力期限の日付と使用期限の日付とを求め、有効期限キー入力期限の日付に基づいて有効期限キーの正当性を判定した後に使用期限の設定を行う使用期限設定手段２と、設定された使用期限の日付に応じた期限切れに関するメッセージを表示するように制御するメッセージ表示制御手段５と、前記メッセージ表示制御手段５の制御により前記期限切れのメッセージを表示するメッセージ表示手段６を備えている。【選択図】図１
2005284943.tif 000002
【特許請求の範囲】
【請求項１】
対象ソフトウェアの使用期限を管理するためのソフトウェア使用期限管理システムであって、
前記対象ソフトウェアの有効期限キー入力期限の日付と使用期限の日付との情報を暗号化したデータを含む有効期限キーが入力される有効期限キー入力手段と、
前記有効期限キーの暗号化データを復号して前記対象ソフトウェアの有効期限キー入力期限の日付と使用期限の日付とを求める使用期限日演算手段と、
前記有効期限キー入力期限の日付に基づいて、前記有効期限キーの正当性を判定する判定手段と、
前記判定手段により正当であると判定されたときに、前記有効期限キーから求めた前記使用期限の日付を用いて、使用期限の設定を行う使用期限設定手段と、
設定された前記使用期限に基づいて、当該使用期限の日付に応じた期限切れに関するメッセージを表示するように制御するメッセージ表示制御手段と、
前記メッセージ表示制御手段の制御により、前記期限切れのメッセージを表示する表示手段と
を備えたことを特徴とするソフトウェア使用期限管理システム。
【請求項２】
前記メッセージ表示制御手段は、
使用期限が切れる所定期間（第１の所定期間）前の時点から前記使用期限日までのアナウンス期間に、前記対象ソフトウェアの継続使用の手続きを促す第１のメッセージを表示し、
使用期限日の翌日から所定期間（第２の所定期間）経過時点までのアラーム期間に、使用期限超過の旨を示す警告メッセージを表示し、
前記第２の所定期間が経過した時点後のクレーム期間に、前記対象ソフトウェアの使用停止のメッセージを表示する
ことを特徴とする請求項１に記載のソフトウェア使用期限管理システム。
【請求項３】
前記第２の所定期間が経過した時点で、前記対象ソフトウェアの使用を停止する使用停止手段をさらに備えたことを特徴とする請求項１または２に記載のソフトウェア使用期限管理システム。
【請求項４】
対象ソフトウェアの使用期限を管理するためのソフトウェア使用期限管理プログラムであって、
前記対象ソフトウェアの有効期限キー入力期限の日付と使用期限の日付との情報を暗号化したデータを含む有効期限キーが入力される有効期限キー入力ステップと、
前記有効期限キーの暗号化データを復号して前記対象ソフトウェアの有効期限キー入力期限の日付と使用期限の日付とを求める使用期限日演算ステップと、
前記有効期限キー入力期限の日付に基づいて、前記有効期限キーの正当性を判定する判定ステップと、
前記判定ステップにおいて正当であると判定されたときに、前記有効期限キーから求めた前記使用期限の日付を用いて、使用期限の設定を行う使用期限設定ステップと、
設定された前記使用期限に基づいて、当該使用期限の日付に応じた期限切れのメッセージを表示するように制御するメッセージ表示制御ステップと、
前記メッセージ表示制御ステップの制御により、前記期限切れのメッセージを表示する表示ステップと
をコンピュータに実行させるためのソフトウェア使用期限管理プログラム。
【請求項５】
前記メッセージ表示制御ステップは、
使用期限が切れる所定期間（第１の所定期間）前の時点から前記使用期限日までのアナウンス期間に、前記対象ソフトウェアの継続使用の手続きを促す第１のメッセージを表示し、
使用期限日の翌日から所定期間（第２の所定期間）経過時点までのアラーム期間に、使用期限超過の旨を示す警告メッセージを表示し、
前記第２の所定期間が経過した時点後のクレーム期間に、前記対象ソフトウェアの使用停止のメッセージを表示する
ことを特徴とする請求項４に記載のソフトウェア使用期限管理プログラム。
【請求項６】
前記第２の所定期間が経過した時点で、前記対象ソフトウェアの使用を停止する使用停止ステップを
さらにコンピュータに実行させることを特徴とする請求項４または５に記載のソフトウェア使用期限管理プログラム。
【発明の詳細な説明】
【技術分野】
【０００１】
この発明はソフトウェア使用期限管理システムおよびソフトウェア使用期限管理プログラムに関し、特に、使用期限を付けて販売またはリースを行ったソフトウェアの使用期限を管理するためのソフトウェア使用期限管理システムおよびソフトウェア使用期限管理プログラムに関する。
【背景技術】
【０００２】
一般にソフトウェア使用許諾権の期限は大半が半永久的であるのが通例で、購入前の試使用期間に制限を設けるように設定されているものもあるが、原則として、ソフトウェアは売り切りされている。
【０００３】
しかしながら、ソフトウェアの中には高価なものもあるため、使用期間が限定された期限付きのソフトウェア使用権を販売する方法も提案されている（例えば、特許文献１参照）。
【０００４】
当該特許文献１による従来の方法においては、使用期限が切れる前にユーザが使用権の再購入を行わなかった場合には、ユーザ端末にインストールされているソフトウェア管理ソフトが対象ソフトウェアをコントロールして使用できないようにすることにより、使用期限の管理を行っている。
【０００５】
【特許文献１】特開２００２−３１８６２９号公報
【発明の開示】
【発明が解決しようとする課題】
【０００６】
上述した特許文献１による従来の方法においては、１週間前にアラームが出て、使用期限が過ぎた途端に、ソフトウェアの使用ができなくなる構成であるため、再購入手続きまえの猶予期間がわずか１週間であるにもかかわらず使用期限が過ぎた途端にいきなり使用出来なくなってしまうので、再購入のやり方がよくわからない不慣れなユーザや、多忙のために再購入手続きがなかなか出来ないユーザ等にとっては、非常に不便であるという問題点があった。
【０００７】
また、上述の特許文献１による従来の方法においては、有効期限に関する不正使用防止のセキュリティ確保については配慮がなされておらず、また、ソフトウェアの期限管理を行っているソフトウェア管理ソフトがユーザ端末にインストールされているため、悪意のユーザが、当該ソフトウェア管理ソフトを用いてソフトウェアの使用期限を改ざんする等して、ソフトウェアを不正使用する可能性が高いという問題点があった。
【０００８】
この発明はかかる問題点を解決するためになされたものであり、再購入のための時間的猶予をユーザに与え、ユーザが負担なく再購入手続きを行うことができ、かつ、有効期限に関するセキュリティを確保してソフトウェアの不正使用を防止するためのソフトウェア使用期限管理システムおよび使用期限管理プログラムを得ることを目的としている。
【課題を解決するための手段】
【０００９】
この発明は、対象ソフトウェアの使用期限を管理するためのソフトウェア使用期限管理システムであって、前記対象ソフトウェアの有効期限キー入力期限の日付と使用期限の日付との情報を暗号化したデータを含む有効期限キーが入力される有効期限キー入力手段と、前記有効期限キーの暗号化データを復号して前記対象ソフトウェアの有効期限キー入力期限の日付と使用期限の日付とを求める使用期限日演算手段と、前記有効期限キー入力期限の日付に基づいて、前記有効期限キーの正当性を判定する判定手段と、前記判定手段により正当であると判定されたときに、前記有効期限キーから求めた前記使用期限の日付を用いて、使用期限の設定を行う使用期限設定手段と、設定された前記使用期限に基づいて、当該使用期限の日付に応じた期限切れに関するメッセージを表示するように制御するメッセージ表示制御手段と、前記メッセージ表示制御手段の制御により、前記期限切れのメッセージを表示する表示手段とを備えたことを特徴とするソフトウェア使用期限管理システムである。
【発明の効果】
【００１０】
この発明は、対象ソフトウェアの使用期限を管理するためのソフトウェア使用期限管理システムであって、前記対象ソフトウェアの有効期限キー入力期限の日付と使用期限の日付との情報を暗号化したデータを含む有効期限キーが入力される有効期限キー入力手段と、前記有効期限キーの暗号化データを復号して前記対象ソフトウェアの有効期限キー入力期限の日付と使用期限の日付とを求める使用期限日演算手段と、前記有効期限キー入力期限の日付に基づいて、前記有効期限キーの正当性を判定する判定手段と、前記判定手段により正当であると判定されたときに、前記有効期限キーから求めた前記使用期限の日付を用いて、使用期限の設定を行う使用期限設定手段と、設定された前記使用期限に基づいて、当該使用期限の日付に応じた期限切れに関するメッセージを表示するように制御するメッセージ表示制御手段と、前記メッセージ表示制御手段の制御により、前記期限切れのメッセージを表示する表示手段とを備えたことを特徴とするソフトウェア使用期限管理システムであるので、再購入のための時間的猶予をユーザに与え、ユーザが負担なく再購入手続きを行うことができ、かつ、有効期限に関するセキュリティを確保してソフトウェアの不正使用を防止することができる。
【発明を実施するための最良の形態】
【００１１】
実施の形態１．
本実施の形態のソフトウェア使用期限管理システムでは、ソフトウェアの使用期限を有効期限キーで管理するとする。有効期限キーは、対象ソフトウェアの「有効期限キー入力期限の日付と使用期限の日付」とを暗号化したデータを含み、有効期限キー入力期限の日付は、ソフトウェアの使用開始日から定められる。例えば、使用開始日から５日後を有効期限キー入力期限の日付としたとき、使用開始日が２００４年３月２２日だったとすると、有効期限キー入力期限の日付は、２００４年３月２７日になる。
また、使用開始日が２００４年３月２２日であり、有効期限キー入力期限の日付を、使用開始日当日とすると、有効期限キー入力期限の日付は使用開始日と同日の２００４年３月２２日となる。  図１は、この発明の実施の形態１に係るソフトウェア使用期限管理システム１００を構成しているユーザ端末の一例を示した図である。図１に示すように、ソフトウェア使用期限管理システム１００は、外部からのデータが入力されるキーボードやマウス等からなる入力手段１と、使用期限設定手段２と、使用期限管理手段３とを有している。当該使用期限設定手段２は、対象ソフトウェア８の有効期限キー入力期限の日付と使用期限の日付とを暗号化したデータを含む有効期限キーが入力手段１を介して入力され、当該暗号化データを復号して対象ソフトウェア８の有効期限キー入力期限の日付と使用期限の日付とを求め、有効期限キー入力期限の日付に基づいて有効期限キーの正当性を判定した後に使用期限の設定を行う。また、当該使用期限管理手段３は、ユーザ端末１に内蔵されている時計４に基づいて使用期限の管理を行う。また、ソフトウェア使用期限管理システム１００は、設定された使用期限に基づいて、当該使用期限の日付の前後の各期間に期限切れのメッセージを表示するように制御するメッセージ表示制御手段５と、メッセージ表示制御手段５の制御により、各期間ごとに期限切れのメッセージを表示するメッセージ表示手段６を有しており、対象ソフトウェア８の継続使用の手続きを促すメッセージや、使用期限がすでに切れていることを知らせる警告メッセージ等のメッセージを表示する。さらに、ソフトウェア使用期限管理システム１００は、ソフトウェア使用停止手段７を有しており、これにより、上記の警告メッセージにもかかわらず使用期限切れ後に所定の期間が経過しても継続使用の手続きをとらなかった場合に対象ソフトウェア８の使用を停止する。また、システムマスタ９を有しており、システム全体を制御するためのシステム設定が記憶されている。当該システムマスタ９内に、対象ソフトウェア８の使用期限も記憶される。
【００１２】
動作について説明する。まずはじめに、使用期限設定手段２による使用期限設定動作について説明する。図２は、当該動作を示した流れ図である。図２に示すように、対象ソフトウェア８がユーザ端末１にインストールされた後に（ステップＳ１）、有効期限設定画面を開く（ステップＳ２）。当該画面は、例えば、図３に示すようなシステム有効期限設定画面をウインドウとして開く。このようにしてステップＳ２で開いた当該システム有効期限設定画面に表示されるテキストボックスからなる有効期限キー入力欄に、有効期限キーを入力する（ステップＳ３）。この有効期限キーは、対象ソフトウェア８の購入の際に販売会社からユーザに対して与えられるものである。当該有効期限キーは、例えば、「８３２３０−３ＢＡ０−１ＦＣ４５」のように、ハイフンで区切られた、５桁−４桁−５桁等の複数桁の英数字の組み合わせからなる文字列から構成されている。なお、当該有効期限キーには、対象ソフトウェア８の有効期限キー入力期限の日付と使用期限の日付との情報が暗号化されて含まれている。次に、入力された有効期限キーを所定の演算により処理することにより復号して、対象ソフトウェア８の有効期限キー入力期限の日付と使用期限の日付とを求める（ステップＳ４）。次に、演算により求めた有効期限キー入力期限の日付と、ユーザ端末１の現在の日付とを比較して、有効期限キー入力期限の日付が現在の日付より以後であるか否かをチェックすることにより、正当な有効期限キーであるか否かを判定する（ステップＳ５）。ステップＳ５の判定の結果、有効期限キーが正当なものであった場合には、ステップＳ６に進み、ステップＳ４で求めた使用期限の日付をユーザ端末１のシステムマスタ９に設定する（ステップＳ６）。一方、ステップＳ５の判定の結果、有効期限キーが正当なものでなかった場合には、ステップＳ７に進み、有効期限キーが正当でないことを知らせるメッセージ（例えば、「有効期限キーを確認後、再度入力し直して下さい。」）を表示して処理を終了する（ステップＳ７）。
【００１３】
次に、使用期限管理手段３、メッセージ表示制御手段５およびメッセージ表示手段６による、メッセージ表示動作について説明する。図４は、当該動作を示した流れ図である。
【００１４】
なお、本実施の形態においては、図５に示すように、アナウンス期間、アラーム期間、クレーム期間の３つの期間ごとに異なるメッセージが表示される。アナウンス期間は、使用期限の日付以前の所定の期間（Ｘ期間とする）であり、継続使用の手続きを促すメッセージを表示する期間である。またアラーム期間は、使用期限の日付以後の所定の期間（Ｙ期間とする）であり、使用期限が切れている旨の警告メッセージを表示する期間である。さらにクレーム期間は、アラーム期間最終日の日付以後新しい有効期限キーが入力されるまでの期間（Ｚ期間とする）であり、対象ソフトウェア８の使用を停止したメッセージを表示するとともに、対象ソフトウェア８の使用を停止している期間である。
使用開始日が２００４年３月２２日で、有効期間を６年とすると、使用期限の日付は２０１０年３月２１日となる。Ｘ期間を１ヶ月、Ｙ期間を２ヶ月とすると、アナウンス期間は２０１０年２月２２日〜２０１０年３月２１日、アラーム期間は２０１０年３月２２日〜２０１０年５月２１日、クレーム期間は２０１０年５月２２日〜新しい有効期限キーが入力されるまでの期間となる。
【００１５】
まずはじめに、使用期限管理手段３は、システムマスタ９内に記憶されている使用期限日付と、時計４によるシステムの現在の日付とに基づいて、使用期限のチェックを行う（ステップＳ２０）。使用期限のチェックを行うタイミングとしては、例えば、ユーザがシステムログインしたときなどが考えられる。
【００１６】
ステップＳ２０の当該チェックにより、システムの現在の日付が、使用期限が切れるＸ期間から使用期限の日付までの範囲内であった場合には、アナウンス期間であると判定し、メッセージ表示制御手段５に対して、アナウンス期間であることを通知する。これにより、メッセージ表示制御手段５の制御により、メッセージ表示手段６が、アナウンス期間のメッセージを画面表示する（ステップＳ２１）。当該画面の表示例を図６に示す。アナウンス期間のメッセージの一例としては、「本製品の使用許諾期限は○○年△△月□□日です。お客様がお使いの製品はあと＠＠＠日で使用許諾期間が終了致しますので、継続してご使用頂く場合は継続使用のお手続きをお願いします。」のようにメッセージ表示を行う。
【００１７】
ステップＳ２０のチェックにより、システムの現在の日付が、使用期限の日付の日からＹ期間までの範囲内であった場合には、アラーム期間であると判定し、メッセージ表示制御手段５に対して、アラーム期間であることを通知する。これにより、メッセージ表示制御手段５の制御により、メッセージ表示手段６が、アラーム期間のメッセージを画面表示する（ステップＳ２２）。アラーム期間のメッセージの一例としては、「本製品の使用許諾期限は○○年△△月□□日です。お客様がお使いの製品は既に使用許諾期間が終了しております。大至急継続使用のお手続きをお願いします」のようにメッセージ表示を行う。
【００１８】
ステップＳ２０のチェックにより、システムの現在の日付が、Ｚ期間であった場合には、クレーム期間であると判定し、メッセージ表示制御手段５に対して、クレーム期間であることを通知する。これにより、メッセージ表示制御手段５の制御により、メッセージ表示手段６が、クレーム期間のメッセージを画面表示する（ステップＳ２３）とともに、対象ソフトウェア８の一部の機能の使用ができないように使用停止処理を行う（ステップＳ２４）。クレーム期間のメッセージの一例としては、「本製品の使用許諾期限は○○年△△月□□日です。お客様がお使いの製品は既に使用許諾期間が終了しております。大至急継続使用のお手続きをお願いします。」のようにメッセージ表示を行う。
【００１９】
図６の例に示すように、メッセージ表示ウインドウ内に、表示設定変更ボタンを設けておき、これをユーザがクリックすることにより、表示設定の変更が行えるウインドウが表示されるようにしておくとよい。これにより、表示を行うか否かの選択や、各期間の長さの変更や、表示を行う回数についても、例えば、ログイン時に１回だけとか、あるいは、総合メニュー画面を開く度に毎回表示されるようにする等、種々の選択をユーザが行えるようにしておくと、メッセージの表示にユーザが必要以上に煩わされるのを防ぐことができる。メッセージ表示制御手段５は、このようにして設定・変更される表示設定に従ってメッセージの表示を行う。
【００２０】
なお、クレーム期間になったとき、ソフトウェア使用停止手段７は対象ソフトウェア８の使用を停止するが、全ての機能を停止するか、または一部の機能の停止をするかは、任意に構成および設定することができる。また継続手続きにより、ソフトウェア使用停止手段７は使用停止を解除し、対象ソフトウェア８は機能できるようになる。なお、継続手続きとは、ユーザが新しい有効期限キーを販売会社から与えてもらい、それを入力することである。新しい有効期限キーを入力すると、図２で示した処理が行われて、新しい有効期限キーがシステムマスタ９に記憶されて、継続使用が可能になる。
【００２１】
以上のように、本実施の形態によれば、使用期限が切れる前からアナウンス期間のメッセージを表示し、かつ、使用期限切れ後アラーム期間のメッセージを表示しながら継続使用を許可して継続使用の手続きを促すようにしたので、継続使用の手続きのための時間的猶予をユーザに与え、ユーザが負担なく手続きを行うことができる。また、暗号化された有効期限キーを用いて、使用期限の設定をユーザ端末１に対して行うようにしたので、使用期限の改ざん等を防止して、セキュリティを確保して対象ソフトウェア８の不正使用を防止することができる。
【００２２】
また、本実施の形態においては、有効期限キーには対象ソフトウェア８の有効期限キー入力期限の日付と使用期限の日付との情報を暗号化して含ませておき、当該有効期限キーにより使用期限を設定するような構成にしたので、例えば、ユーザと販売会社との間で、試使用やリース契約等に合わせて柔軟に使用期限の設定が可能となり、便利である。さらに、有効期限キーの発行方法は、販売会社が保有している所定のロジックから生成するという方法を用いているため（非公開）、セキュリティを確保することができる。
さらに、有効期限キー入力期限の日付を、使用開始日（納品日）から任意に定めることができる。有効期限キー入力期限の日付を使用開始日と同一とすれば、１つの有効期限キーを複数のユーザ端末に設定するような不正使用を極力防止することができるし、有効期限キー入力期限の日付を使用開始日から一定期間後とすれば、設定に関して時間的猶予を考慮できる。
【００２３】
また、本実施の形態においては、メッセージ表示の設定をユーザが変更できるようにしたので、ユーザの趣向に合わせたメッセージ表示の弾力的運用が可能である。また、メッセージを表示しながら、使用期限後も所定期間の間は使用できるようにしたので、クレーム期間やソフトウエア使用停止の弾力的な運用が可能である。
【００２４】
また、メッセージを表示して継続使用の手続きをするようにユーザを促すようにしたので、使用許諾権の通知および販売促進を行うことができる。また、メッセージにより、使用期限切れが明確になり、ソフトウェア使用許諾権の有効期限が明確化される。また、表示設定がデフォルト値の場合には、メニュー表示の都度メッセージが表示されるので、ユーザが十分認知できる表示内容および表示頻度であり、繰り返し、販売促進を実行することができる。
【００２５】
また、使用期限が切れた後の所定の期間のみは、継続使用の手続きを行わなくても、使用可能にしたので、当該所定期間の間のタイムラグはあるものの、ソフトウエア使用許諾権の厳密に近い運用が可能になる。また、使用許諾権の継続契約を促すことで、ソフトウェア使用量によりソフトウェア費用が適切に評価され、ソフトウェアの機能が拡充される等の好循環プロセスが期待できる。
【００２６】
実施の形態２．
上述した実施の形態１においては、メッセージ表示の設定をユーザが変更できるようにした例について述べたが、その場合に限らず、電話回線あるいはインターネット等の通信網により、販売会社が遠隔地から、メッセージ表示の設定変更が行えるようにしてもよい。
【００２７】
これにより、操作に不慣れなユーザに代わって操作することができ、利便性が向上する。また、販売会社の種々の都合により、メッセージを表示する期間の長さ等のメッセージ表示の設定変更を行うことが可能になる。
【００２８】
実施の形態３．
本実施の形態においては、販売会社からのユーザに対する有効期限キーの通知の方法について説明する。例えば、以下の３つの方法が挙げられる。
【００２９】
（１）有効期限キーを販売会社の担当者からユーザが電話で連絡してもらう。
（２）有効期限キーを紙に印刷したもの、あるいは、有効期限キーの電子データをＣＤ−ＲＯＭ等の記憶媒体に記憶させたものを郵送する。
（３）携帯電話等により本文のない電子メール（空メール）を販売会社のＷｅｂサイトに送ると、返信メールで有効期限キーが送信される。
【００３０】
なお、上記（２）の方法におけるＣＤ−ＲＯＭに記憶した方法によれば、当該ＣＤ−ＲＯＭからユーザ端末が有効期限キーを読み込むことができるので、ユーザの入力ミスが発生することなく、確実に正しい有効期限キーの入力を行うことができる。
【００３１】
同様に、上記（３）の方法によれば、返信メールを受信した携帯電話から無線または有線により、直接、有効期限キーを読み込むようにすれば、ユーザの入力ミスが発生することなく、確実に正しい有効期限キーの入力を行うことができる。
【００３２】
実施の形態３．
本実施の形態においては、２台のユーザ端末に対して、同一の有効期限キーを入力させることにより、１台分の継続手続きで、２台の継続使用を謀る不正使用を防止するための方法について説明する。
【００３３】
販売会社が対象ソフトウェア８を初回に販売するときに、予め、各ユーザ端末に対するＩＤを付与するようにしておく。付与の方法としては、対象ソフトウェア８とともにユーザ端末を販売するときにはユーザ端末の内部ディスクに記憶させておく。一方、対象ソフトウェア８のみを販売するときには、当該対象ソフトウェア８が格納されている記憶媒体内にＩＤを記憶させておき、対象ソフトウェア８のインストール時に自動的にユーザ端末の内部ディスクに書き込まれるようにプログラミングしておけばよい。
【００３４】
このようにして、各ユーザ端末にＩＤを付与しておいて、有効期限キーの中に、当該ＩＤの情報も含めるようにする。有効期限キー設定のときに、当該ＩＤの照合も行うようにすれば、１台分の継続手続きで、２台の継続使用を謀る不正使用を防止することができる。
【図面の簡単な説明】
【００３５】
【図１】本発明の実施の形態１に係るソフトウェア使用期限管理システムの構成を示した構成図である。
【図２】本発明の実施の形態１に係るソフトウェア使用期限管理システムの動作を示した流れ図である。
【図３】本発明の実施の形態１に係るソフトウェア使用期限管理システムにおける画面表示例を示した説明図である。
【図４】本発明の実施の形態１に係るソフトウェア使用期限管理システムの動作を示した流れ図である。
【図５】本発明の実施の形態１に係るソフトウェア使用期限管理システムにおけるメッセージ表示期間の一例を示した説明図である。
【図６】本発明の実施の形態１に係るソフトウェア使用期限管理システムにおける画面表示例を示した説明図である。
【符号の説明】
【００３６】
１  入力手段、２  使用期限設定手段、３  使用期限管理手段、４  時計、５  メッセージ表示制御手段、６  メッセージ表示手段、７  ソフトウェア使用停止手段、８  対象ソフトウェア、９  システムマスタ、１００  ソフトウェア使用期限管理システム。
【図１】
2005284943.tif 000003
【図２】
2005284943.tif 000004
【図３】
2005284943.tif 000005
【図４】
2005284943.tif 000006
【図５】
2005284943.tif 000007
【図６】
2005284943.tif 000008